(57)【要約】【課題】複数フィールドで画素を駆動するときに複数行を同時に選択するフィールドがあっても焼き付きの発生を抑える。【解決手段】パネル制御回路は、単位期間Ｕ１では正極性の電圧で画素を駆動し、単位期間Ｕ２では負極性の電圧で画素を駆動する。パネル制御回路は、第１書込期間Ｗ１で走査線を２行づつ選択し、第１書込期間Ｗ１で基準走査線とした走査線以外の走査線を第２書込期間Ｗ２で１行づつ選択する。パネル制御回路は、奇数行の画素については、正極性の電圧の時間積分と負極性の電圧の時間積分とを対称とする駆動を単位期間Ｕ１の第２書込期間Ｗ２で行い、偶数行の画素については、正極性の電圧の時間積分と負極性の電圧の時間積分とを対称とする駆動を単位期間Ｕ２の第２書込期間Ｗ２で行う。【選択図】図６
2015060178.tif 000002
【特許請求の範囲】
【請求項１】
複数の走査線及び複数のデータ線の各交差に対応して配置されて前記走査線の選択時に前記データ線に供給されたデータ信号に応じた階調を各々が表示する複数の画素を駆動する駆動装置であって、
フレームを偶数個のフィールドで構成し、
前記フレームは、
奇数行の走査線と当該走査線に隣合う一の走査線とを組として複数の前記組を順次選択し、前記組が選択されている期間においては、当該組の基準走査線に係る画素の階調を指定する正極性又は負極性のデータ信号を各データ線に供給する第１フィールドと、
前記第１フィールドに後続するフィールドであって、前記第１フィールドで基準走査線とした走査線以外の走査線を順次選択し、前記走査線が選択されている期間においては、前記第１フィールドと同じ極性で当該走査線に係る画素の階調に基いたデータ信号を各データ線に供給する第２フィールドと、
前記第２フィールドに後続するフィールドであって、奇数行の走査線と当該走査線に隣合う一の走査線とを組として複数の前記組を順次選択し、前記組が選択されている期間においては、前記第１フィールドとは異なる極性で当該組の基準走査線に係る画素の階調を指定するデータ信号を各データ線に供給する第３フィールドと、
前記第３フィールドに後続するフィールドであって、前記第３フィールドで基準走査線とした走査線以外の走査線を順次選択し、前記走査線が選択されている期間においては、前記第３フィールドと同じ極性で当該走査線に係る画素の階調に基づいたデータ信号を各データ線に供給する第４フィールドとを有し、
前記第２フィールド及び前記第４フィールドで供給するデータ信号を、当該データ信号が供給される画素に印加される正極性の電圧の時間積分の結果と、当該データ信号が供給される画素に印加される負極性の電圧の時間積分の結果とを対称とするデータ信号とする
駆動装置。
【請求項２】
画素に印加される正極性の電圧の時間積分と、画素に印加される負極性の電圧の時間積分とを予め定められた複数フレームに渡って行い、
前記複数フレームの前記第２フィールド及び前記第４フィールドにおいては、選択した走査線に係る画素の階調を指定するデータ信号を各データ線に供給し、
前記複数フレームが経過した後においては、前記時間積分の結果を対称とするデータ信号を前記第２フィールド及び前記第４フィールドで供給する
請求項１に記載の駆動装置。
【請求項３】
前記複数フレームに渡って行われた前記時間積分の結果を対称とするデータ信号を、当該複数フレームが経過した後の複数フレームに渡って供給する
請求項２に記載の駆動装置。
【請求項４】
前記第２フィールド及び前記第４フィールドで供給するデータ信号は、選択された走査線に係る画素の階調を指定する電圧を補正した電圧であり、当該補正の電圧値が予め定められた電圧値を超える場合、補正の電圧値を予め定められた電圧値以下とする
請求項１乃至請求項３のいずれか一項に記載の駆動装置。
【請求項５】
前記第２フィールド及び前記第４フィールドで供給するデータ信号は、選択された走査線に係る画素の階調が中間階調の場合と中間階調以外の場合とで、前記予め定められた電圧値が異なる
請求項４に記載の駆動装置。
【請求項６】
複数の走査線及び複数のデータ線の各交差に対応して配置されて前記走査線の選択時に前記データ線に供給されたデータ信号に応じた階調を各々が表示する複数の画素を駆動する駆動方法であって、
フレームを偶数個のフィールドで構成し、
前記フレームは、
奇数行の走査線と当該走査線に隣合う一の走査線とを組として複数の前記組を順次選択し、前記組が選択されている期間においては、当該組の基準走査線に係る画素の階調を指定する正極性又は負極性のデータ信号を各データ線に供給する第１フィールドと、
前記第１フィールドに後続するフィールドであって、前記第１フィールドで基準走査線とした走査線以外の走査線を順次選択し、前記走査線が選択されている期間においては、前記第１フィールドと同じ極性で当該走査線に係る画素の階調に基いたデータ信号を各データ線に供給する第２フィールドと、
前記第２フィールドに後続するフィールドであって、奇数行の走査線と当該走査線に隣合う一の走査線とを組として複数の前記組を順次選択し、前記組が選択されている期間においては、前記第１フィールドとは異なる極性で当該組の基準走査線に係る画素の階調を指定するデータ信号を各データ線に供給する第３フィールドと、
前記第３フィールドに後続するフィールドであって、前記第３フィールドで基準走査線とした走査線以外の走査線を順次選択し、前記走査線が選択されている期間においては、前記第３フィールドと同じ極性で当該走査線に係る画素の階調に基づいたデータ信号を各データ線に供給する第４フィールドとを有し、
前記第２フィールド及び前記第４フィールドで供給するデータ信号を、当該データ信号が供給される画素に印加される正極性の電圧の時間積分の結果と、当該データ信号が供給される画素に印加される負極性の電圧の時間積分の結果とを対称とするデータ信号とする
駆動方法。
【請求項７】
複数の走査線及び複数のデータ線の各交差に対応して配置されて前記走査線の選択時に前記データ線に供給されるデータ信号に応じた階調を各々が表示する複数の画素と、
前記画素を駆動する駆動装置と
を有し、
前記駆動装置は、
フレームを偶数個のフィールドで構成し、
前記フレームは、
奇数行の走査線と当該走査線に隣合う一の走査線とを組として複数の前記組を順次選択し、前記組が選択されている期間においては、当該組の基準走査線に係る画素の階調を指定する正極性又は負極性のデータ信号を各データ線に供給する第１フィールドと、
前記第１フィールドに後続するフィールドであって、前記第１フィールドで基準走査線とした走査線以外の走査線を順次選択し、前記走査線が選択されている期間においては、前記第１フィールドと同じ極性で当該走査線に係る画素の階調に基いたデータ信号を各データ線に供給する第２フィールドと、
前記第２フィールドに後続するフィールドであって、奇数行の走査線と当該走査線に隣合う一の走査線とを組として複数の前記組を順次選択し、前記組が選択されている期間においては、前記第１フィールドとは異なる極性で当該組の基準走査線に係る画素の階調を指定するデータ信号を各データ線に供給する第３フィールドと、
前記第３フィールドに後続するフィールドであって、前記第３フィールドで基準走査線とした走査線以外の走査線を順次選択し、前記走査線が選択されている期間においては、前記第３フィールドと同じ極性で当該走査線に係る画素の階調に基づいたデータ信号を各データ線に供給する第４フィールドとを有し、
前記第２フィールド及び前記第４フィールドで供給するデータ信号を、当該データ信号が供給される画素に印加される正極性の電圧の時間積分の結果と、当該データ信号が供給される画素に印加される負極性の電圧の時間積分の結果とを対称とするデータ信号とする
表示装置。
【請求項８】
請求項７に記載の表示装置を有する電子機器。
【発明の詳細な説明】
【技術分野】
【０００１】
本発明は、１フレームを複数フィールドで構成して映像を表示する技術に関する。
【背景技術】
【０００２】
１フレームを複数フィールドで構成して映像を表示する発明として、例えば、特許文献１に開示された発明がある。特許文献１に開示されている発明では、１フレームが４つのフィールドで構成されており、前半の２つのフィールド（単位期間Ｕ１）においては、正極性の電圧が画素の液晶素子に印加され、後半の２つのフィールド（単位期間Ｕ２）においては、負極性の電圧が画素の液晶素子に印加される。また、特許文献１に開示されている発明においては、単位期間Ｕ１のフィールドの一方は、２行づつ走査線を選択するフィールドであり、他方は、１行づつ１行おきに走査線を選択するフィールドとなっている。また、単位期間Ｕ２のフィールドにおいても、一方は２行づつ走査線を選択するフィールドであり、他方は、１行づつ１行おきに走査線を選択するフィールドとなっている。
【先行技術文献】
【特許文献】
【０００３】
【特許文献１】特開２０１２−１４５６９５号公報
【発明の概要】
【発明が解決しようとする課題】
【０００４】
特許文献１の図６においては、単位期間Ｕ１と単位期間Ｕ２とで走査の態様が異なる構成が示されている。具体的には、特許文献１の発明は、単位期間Ｕ１の第１書込期間Ｗ１では、奇数行を基準とし、基準とした奇数行の次の偶数行を同時に選択し、第２書込期間Ｗ２では、偶数行のみを順次選択していく。また、特許文献１の発明は、単位期間Ｕ２においては、第１書込期間Ｗ１では偶数行を基準とし、基準とした偶数行の次の奇数行を同時に選択し、第２書込期間Ｗ２では、奇数行のみを順次選択していく。
【０００５】
上記のように走査線の選択が行われた場合、例えば、２行目の画素の液晶素子に印加する電圧に着目すると、単位期間Ｕ１の第１書込期間Ｗ１においては、１行目の画素の液晶素子に印加した電圧と同じ電圧が印加され、第２書込期間Ｗ２では、２行目の映像に対応した電圧が印加される。また、単位期間Ｕ２の第１書込期間Ｗ１においては、２行目の映像に対応した電圧が印加され、第２書込期間Ｗ２においては走査線が選択されないため、液晶素子は、前のフィールドで印加された電圧を保持する。
ここで、液晶素子に対する正極性の電圧の時間積分の結果と、負極性の電圧の時間積分の結果とが対称とはならないため、画素の液晶層においては電荷に偏りが生じ、電荷の偏りによって内部電界が発生することにより焼き付きが発生する虞がある。
【０００６】
本発明は、上述した事情に鑑みてなされたものであり、その目的の一つは、複数フィールドで画素を駆動するときに複数行を同時に選択するフィールドがあっても焼き付きの発生を抑えることである。
【課題を解決するための手段】
【０００７】
上記目的を達成するため、本発明に係る駆動装置は、複数の走査線及び複数のデータ線の各交差に対応して配置されて前記走査線の選択時に前記データ線に供給されたデータ信号に応じた階調を各々が表示する複数の画素を駆動する駆動装置であって、フレームを偶数個のフィールドで構成し、前記フレームは、奇数行の走査線と当該走査線に隣合う一の走査線とを組として複数の前記組を順次選択し、前記組が選択されている期間においては、当該組の基準走査線に係る画素の階調を指定する正極性又は負極性のデータ信号を各データ線に供給する第１フィールドと、前記第１フィールドに後続するフィールドであって、前記第１フィールドで基準走査線とした走査線以外の走査線を順次選択し、前記走査線が選択されている期間においては、前記第１フィールドと同じ極性で当該走査線に係る画素の階調に基いたデータ信号を各データ線に供給する第２フィールドと、前記第２フィールドに後続するフィールドであって、奇数行の走査線と当該走査線に隣合う一の走査線とを組として複数の前記組を順次選択し、前記組が選択されている期間においては、前記第１フィールドとは異なる極性で当該組の基準走査線に係る画素の階調を指定するデータ信号を各データ線に供給する第３フィールドと、前記第３フィールドに後続するフィールドであって、前記第３フィールドで基準走査線とした走査線以外の走査線を順次選択し、前記走査線が選択されている期間においては、前記第３フィールドと同じ極性で当該走査線に係る画素の階調に基づいたデータ信号を各データ線に供給する第４フィールドとを有し、前記第２フィールド及び前記第４フィールドで供給するデータ信号を、当該データ信号が供給される画素に印加される正極性の電圧の時間積分の結果と、当該データ信号が供給される画素に印加される負極性の電圧の時間積分の結果とを対称とするデータ信号とする。
この構成によれば、データ信号が時間積分の結果を対称とする信号になるので、複数フィールドで画素を駆動するときに複数行を同時に選択するフィールドがあっても焼き付きの発生を抑えることができる。
【０００８】
前記駆動装置においては、画素に印加される正極性の電圧の時間積分と、画素に印加される負極性の電圧の時間積分とを予め定められた複数フレームに渡って行い、前記複数フレームの前記第２フィールド及び前記第４フィールドにおいては、選択した走査線に係る画素の階調を指定するデータ信号を各データ線に供給し、前記複数フレームが経過した後においては、前記時間積分の結果を対称とするデータ信号を前記第２フィールド及び前記第４フィールドで供給する構成としてもよい。
この構成によれば、時間積分を行っている期間は、指定された階調の映像を表示することができる。
【０００９】
また、前記駆動装置においては、前記複数フレームに渡って行われた前記時間積分の結果を対称とするデータ信号を、当該複数フレームが経過した後の複数フレームに渡って供給する構成としてもよい。
この構成によれば、表示すべき階調と表示される階調との差を小さくすることができる。
【００１０】
また、前記駆動装置においては、前記第２フィールド及び前記第４フィールドで供給するデータ信号は、選択された走査線に係る画素の階調を指定する電圧を補正した電圧であり、当該補正の電圧値が予め定められた電圧値を超える場合、補正の電圧値を予め定められた電圧値以下とする構成としてもよい。
この構成によれば、表示すべき階調と表示される階調との差を小さくすることができる。
【００１１】
また、前記駆動装置においては、前記第２フィールド及び前記第４フィールドで供給するデータ信号は、選択された走査線に係る画素の階調が中間階調の場合と中間階調以外の場合とで、前記予め定められた電圧値が異なる構成としてもよい。
この構成によれば、表示すべき階調と表示される階調との差を小さくすることができる。
【００１２】
また、本発明に係る表示装置は、複数の走査線及び複数のデータ線の各交差に対応して配置されて前記走査線の選択時に前記データ線に供給されるデータ信号に応じた階調を各々が表示する複数の画素と、前記画素を駆動する駆動装置とを有し、前記駆動装置は、フレームを偶数個のフィールドで構成し、前記フレームを、奇数行の走査線と当該走査線に隣合う一の走査線とを組として複数の前記組を順次選択し、前記組が選択されている期間においては、当該組の基準走査線に係る画素の階調を指定する正極性又は負極性のデータ信号を各データ線に供給する第１フィールドと、前記第１フィールドに後続するフィールドであって、前記第１フィールドで基準走査線とした走査線以外の走査線を順次選択し、前記走査線が選択されている期間においては、前記第１フィールドと同じ極性で当該走査線に係る画素の階調に基いたデータ信号を各データ線に供給する第２フィールドと、前記第２フィールドに後続するフィールドであって、奇数行の走査線と当該走査線に隣合う一の走査線とを組として複数の前記組を順次選択し、前記組が選択されている期間においては、前記第１フィールドとは異なる極性で当該組の基準走査線に係る画素の階調を指定するデータ信号を各データ線に供給する第３フィールドと、前記第３フィールドに後続するフィールドであって、前記第３フィールドで基準走査線とした走査線以外の走査線を順次選択し、前記走査線が選択されている期間においては、前記第３フィールドと同じ極性で当該走査線に係る画素の階調に基づいたデータ信号を各データ線に供給する第４フィールドとで構成し、前記第２フィールド及び前記第４フィールドで供給するデータ信号を、当該データ信号が供給される画素に印加される正極性の電圧の時間積分の結果と、当該データ信号が供給される画素に印加される負極性の電圧の時間積分の結果とを対称とするデータ信号とする。
この構成によれば、データ信号が時間積分の結果を対称とする信号になるので、複数フィールドで画素を駆動するときに複数行を同時に選択するフィールドがあっても焼き付きの発生を抑えることができる。
【００１３】
なお、本発明は、駆動装置のほか、駆動方法や、当該表示装置を有する電子機器としても適用することが可能である。
【図面の簡単な説明】
【００１４】
【図１】表示システム１を構成する装置を示した図。
【図２】表示装置１０のハードウェア構成を示したブロック図。
【図３】投射部１７の模式図。
【図４】表示パネル１００の構成を示した図。
【図５】画素１１０の等価回路を示した図。
【図６】表示パネル１００の動作を説明するための図。
【図７】走査線駆動回路１３０の動作を説明するための図。
【図８】液晶素子１２０に係る電圧の時間積分を示した図。
【図９】液晶素子１２０に係る電圧の時間積分を示した図。
【図１０】第２実施形態における表示パネル１００の動作を説明するための図。
【図１１】第２実施形態における走査線駆動回路１３０の動作を説明するための図。
【図１２】液晶素子１２０に係る電圧の時間積分を示した図。
【発明を実施するための形態】
【００１５】
［第１実施形態］
図１は、本発明の実施形態に係る表示システム１を構成する装置を示した図である。表示システム１は、表示装置１０と眼鏡２０を有する。表示装置１０は、入力された映像信号が表す映像をスクリーンＳＣに投射する電子機器の一例である。表示装置１０には、一例として、立体映像を視聴するための映像を表す映像信号が入力される。表示装置１０は、入力された映像信号に基いて、立体映像を視聴するための映像をスクリーンＳＣに投射する。なお、本実施形態においては、立体映像を視聴するための方式としてフレームシーケンシャル方式が採用されている。このため、表示装置１０は、右眼用の映像（以下、「右眼用映像ＧＲ」という）と左眼用の映像（以下、「左眼用映像ＧＬ」という）を、時分割で交互にスクリーンＳＣに投射する。
【００１６】
スクリーンＳＣは、布地の表面に白の塗料が塗布されたものであり、表示装置１０が投射した映像を映す。眼鏡２０は、スクリーンＳＣに投射された右眼用映像を視聴者の右眼に到達させ、スクリーンＳＣに投射された左眼用映像を視聴者の左眼に到達させるための電子機器であり、２つの液晶シャッターを有している。視聴者が眼鏡２０を装着すると、一方の液晶シャッターが右眼の前方に位置し、他方の液晶シャッターが左眼の前方に位置する。
【００１７】
（表示装置１０の構成）
図２は、表示装置１０のハードウェア構成を示した図である。制御部１２は、ＣＰＵ（Central Processing Unit）１２Ａ、ＲＯＭ（Read Only Memory）１２Ｂ及びＲＡＭ（Random Access Memory）１２Ｃを備えている。ＣＰＵ１２Ａが、ＲＯＭ１２Ｂに記憶されているプログラムを実行すると、外部装置から入力された映像信号が表す映像をスクリーンＳＣに投射する機能や、眼鏡２０へ赤外線の信号を送信する機能などが実現する。操作部１４は、表示装置１０を操作するための複数のボタンを備えている。制御部１２は、操作されたボタンを検知し、操作されたボタンに応じて各部を制御する。操作されたボタンに応じて制御部１２が各部を制御することにより、スクリーンＳＣに投射する映像の画質調整などを行うことができる。記憶部１３は、不揮発性メモリーを有しており、調整した画質のパラメーターなどを記憶する。
【００１８】
映像取得部１６は、映像信号を外部装置から取得する。この映像信号は、垂直同期信号や水平同期信号、表示する映像を表す信号を含んでいる。映像取得部１６は、映像信号を記憶するメモリーを有しており、映像信号を投射部１７へ供給する。映像取得部１６は、映像信号が立体映像を視聴するための映像信号である場合、右眼用映像の映像信号と左眼用映像の映像信号を交互に投射部１７へ供給することとなる。
具体的には、映像取得部１６は、右眼用の映像信号を投射部１７へ供給する際には、取得した映像信号から右眼用の赤色の映像を表す映像信号、右眼用の緑色の映像を表す映像信号及び右眼用の青色の映像を表す映像信号を生成し、各色の映像信号を投射部１７へ供給する。また、映像取得部１６は、左眼用の映像信号を投射部１７へ供給する際には、取得した映像信号から左眼用の赤色の映像を表す映像信号、左眼用の緑色の映像を表す映像信号及び左眼用の青色の映像を表す映像信号を生成し、各色の映像信号を投射部１７へ供給する。
なお、映像取得部１６は、投射部１７へ供給した映像が右眼用映像と左眼用映像のいずれであるかを判別し、判別結果を示すデータ（以下、「判別結果データ」と称する）と、映像信号に含まれる垂直同期信号を通信部１５へ供給する。
【００１９】
通信部１５は、赤外線を発するＬＥＤ（Light Emitting Diode）を備えている。このＬＥＤは、垂直同期信号と判別結果データとに基いて点灯と消灯のタイミングが制御され、眼鏡２０の液晶シャッターの開閉を制御するための信号を送信する。眼鏡２０は、この信号に応じて液晶シャッターの開閉を制御し、スクリーンＳＣに投射されている右眼用映像を右眼に到達させるタイミングにおいては、右眼用の液晶シャッターを開にする一方、左眼用の液晶シャッターを閉とし、スクリーンＳＣに投射されている左眼用映像を左眼に到達させるタイミングにおいては、左眼用の液晶シャッターを開にする一方、右眼用の液晶シャッターを閉とする。
【００２０】
図３は、投射部１７の模式図である。投射部１７は、光源１２０１、ダイクロイックミラー１２０２，１２０３、ミラー１２０４〜１２０６、ダイクロイックプリズム１２０７、投射レンズ１２０８、表示パネル１００Ｒ，１００Ｇ，１００Ｂを有する。
【００２１】
光源１２０１は、光を発するランプを備えている。ランプの一例としては、メタルハライドランプ、ハロゲンランプ又はキセノンランプなどがある。光源１２０１から出射された光は、ダイクロイックミラー１２０２に入射する。ダイクロイックミラー１２０２は、赤色波長帯域の光を透過し、緑色波長帯域及び青色波長帯域の光を反射する鏡である。ダイクロイックミラー１２０２を透過した光は、ミラー１２０４で反射されて表示パネル１００Ｒに入射する。ダイクロイックミラー１２０３は、ダイクロイックミラー１２０２で反射された光のうち、緑色波長帯域の光を反射し、青色波長帯域の光を透過する鏡である。ダイクロイックミラー１２０３で反射した光は、表示パネル１００Ｇに入射する。ミラー１２０５とミラー１２０６は、ダイクロイックミラー１２０３を透過した光を反射する鏡である。ミラー１２０５とミラー１２０６で反射した光は、表示パネル１００Ｂに入射する。
【００２２】
表示パネル１００Ｒ、表示パネル１００Ｇ及び表示パネル１００Ｂは、入射した光を変調する透過型の液晶パネルであり、複数行複数列に配置された画素を備えている。表示パネル１００Ｒは、赤色の映像を表す映像信号に応じて各画素が制御され、各画素の透過率が変化する。なお、表示パネル１００Ｒに入射する光は、赤色波長帯域の光であるため、表示パネル１００Ｒを透過した光は、赤の映像となる。表示パネル１００Ｂは、青色の映像を表す映像信号に応じて各画素が制御され、各画素の透過率が変化する。表示パネル１００Ｂに入射する光は、青色波長帯域の光であるため、表示パネル１００Ｂを透過した光は、青の映像となる。表示パネル１００Ｇは、緑色の映像を表す映像信号に応じて各画素が制御され、各画素の透過率が変化する。表示パネル１００Ｇに入射する光は、緑色波長帯域の光であるため、表示パネル１００Ｇを透過した光は、緑の映像となる。なお、表示パネル１００Ｒ、表示パネル１００Ｇ及び表示パネル１００Ｂは、入射する光の波長と、駆動するための映像信号が異なるものの、他の構成は同じであるため、以下、各々を区別する必要のない場合は、表示パネル１００と称する。
【００２３】
ダイクロイックプリズム１２０７は、入射した緑色波長帯域の光を直進させ、入射した赤色波長帯域と青色波長帯域の光を反射して赤色波長帯域と青色波長帯域の光の進行方向を変更するプリズムである。ダイクロイックプリズム１２０７に入射した緑の映像の光は直進して投射レンズ１２０８に入射する。また、ダイクロイックプリズム１２０７に入射して進行方向が変更された赤と青の映像の光も、投射レンズ１２０８に入射する。投射レンズ１２０８は、入射した光が表す映像を拡大してスクリーンに投射するレンズである。ダイクロイックプリズム１２０７から入射した光が投射レンズ１２０８を通過すると、右眼用映像と左眼用映像とが交互にスクリーンに投射される。
【００２４】
図４は、表示パネル１００の構成を示した図である。表示パネル１００においては、ｍ行の走査線１１２が設けられ、また、ｎ列のデータ線１１４が各走査線１１２と互いに電気的に絶縁を保つように設けられている。そして、ｍ行の走査線１１２とｎ列のデータ線１１４との交点のそれぞれに対応して、画素１１０がそれぞれ配列されている。したがって、本実施形態では、画素１１０が縦ｍ行×横ｎ列でマトリクス状に配列されていることになる。本実施形態においては、このように画素１１０の配列する領域が表示領域１０１となる。
【００２５】
表示領域１０１の周辺には、走査線駆動回路１３０とデータ線駆動回路１４０とがそれぞれ設けられている。走査線駆動回路１３０は、１〜ｍ行の走査線１１２にそれぞれ走査信号を供給するものである。本実施形態において走査線駆動回路１３０は、制御信号Ｙｃｔｒによって走査線１１２を２行づつ又は１行づつ１行おきに選択するとともに、選択した走査線への走査信号を選択電圧とする一方、それ以外の、非選択に係る走査線への走査信号を非選択電圧とする。なお、以下の説明においては、１、２、３、…、ｍ行目の走査線１１２に供給される走査信号をそれぞれＧ１、Ｇ２、Ｇ３、…、Ｇｍと表記する。
【００２６】
データ線駆動回路１４０は、供給されるデータ信号Ｖｘに基づいて、いわゆる電圧変調方式で画素１１０を駆動するものである。データ線駆動回路１４０は、パネル駆動回路２００から供給される制御信号Ｘｃｔｒに従ってデータ信号Ｖｘをサンプリングし、１〜ｎ列目のデータ線１１４に、サンプリングで得られた電圧のデータ信号を供給する。なお、以下の説明においては、１、２、３、…、ｎ列目のデータ線１１４に供給されるデータ信号を、それぞれｄ１、ｄ２、ｄ３、…、ｄｎと表記する。
【００２７】
図５は、表示パネル１００における画素１１０の等価回路の一例を示した図である。この図に示されるように、画素１１０は、画素電極１１８とコモン電極１０８とで液晶１０５を挟持した液晶素子１２０と、走査線１１２に選択電圧が印加されたときにデータ線１１４と画素電極１１８との間で導通状態となり、非選択電圧が印加されたときに非導通状態となる薄膜トランジスター（Thin Film Transistor：以下単に「ＴＦＴ」と表記する）１１６とを有する構成である。なお、コモン電極１０８は各画素にわたって共通であり、図示を省略した回路によって電圧ＬＣｃｏｍが印加される。また、画素１１０では、液晶素子１２０に対して並列に補助容量（蓄積容量）１２５が設けられる。この補助容量１２５は、一端が画素電極１１８に接続され、他端が容量線１１５に共通接続されている。容量線１１５は時間的に一定の電圧に保たれている。このような構成において、画素１１０では、走査線１１２に選択電圧が印加されたときにＴＦＴ１１６が導通状態になると、データ線１１４に供給されたデータ信号の電圧が画素電極１１８に掛かり、画素電極１１８とコモン電極１０８との間に電位差が生じ、液晶素子１２０に電圧が印加される。一方、走査線１１２への選択電圧の印加が終了して非選択電圧が印加されたときにＴＦＴ１１６が非導通状態になるが、液晶素子１２０は、ＴＦＴ１１６の導通状態であったときに画素電極１１８に印加されたデータ信号の電圧を、その容量性によって走査線１１２に選択電圧が再び印加されるまで保持する。液晶１０５の分子配向状態は、液晶素子１２０に印加された電圧に応じて変化する。
【００２８】
図４に戻り、パネル駆動回路２００は、映像取得部１６から供給される映像信号に応じて走査線駆動回路１３０およびデータ線駆動回路１４０を制御することにより画素１１０を駆動する駆動装置の一例である。本実施形態においては、パネル駆動回路２００と表示パネル１００とで表示装置が構成される。本実施形態においては、パネル駆動回路２００は、表示パネル１００Ｒ，１００Ｇ，１００Ｂの各々に設けられている。表示パネル１００Ｒに対応したパネル駆動回路２００に供給される映像信号は、赤色の映像を表す映像信号であり、表示パネル１００Ｇに対応したパネル駆動回路２００に供給される映像信号は、緑色の映像を表す映像信号であり、表示パネル１００Ｂに対応したパネル駆動回路２００に供給される映像信号は、青色の映像を表す映像信号である。
パネル駆動回路２００に供給される映像信号は、同期信号Ｓｙｎｃと、表示パネル１００における各画素の階調レベルをそれぞれ規定する階調信号が含まれている。パネル駆動回路２００は、供給される映像信号に含まれる同期信号Ｓｙｎｃから制御信号Ｘｃｔｒや制御信号Ｙｃｔｒなどの各種制御信号を生成する。パネル駆動回路２００は、制御信号Ｘｃｔｒをデータ線駆動回路１４０へ供給し、制御信号Ｙｃｔｒを走査線駆動回路１３０へ供給する。また、パネル駆動回路２００は、供給される映像信号に含まれている階調信号から階調レベルに対応したデータ信号Ｖｘを生成し、生成したデータ信号Ｖｘをデータ線駆動回路１４０へ供給する。
【００２９】
図６は、表示パネル１００の動作の説明図である。表示装置１０が立体映像を視聴するための映像をスクリーンＳＣに投射する場合、映像の表示期間は、左眼用映像ＧＬを表示するフレームである左眼用期間ＰＬと、右眼用映像ＧＲを表示するフレームである右眼用期間ＰＲとに区分され、右眼用期間ＰＲと左眼用期間ＰＬとが時間軸上で交互に訪れる。
【００３０】
右眼用期間ＰＲおよび左眼用期間ＰＬの各々は複数（偶数個）の単位期間Ｕを含む。第１実施形態では右眼用期間ＰＲと左眼用期間ＰＬの各々が同じ長さの２個の単位期間Ｕ（Ｕ１，Ｕ２）を含む場合を想定する。各単位期間Ｕは、第１書込期間Ｗ１と第２書込期間Ｗ２との２つのフィールドに区分される。第２書込期間Ｗ２は第１書込期間Ｗ１に後続する。第１書込期間Ｗ１の長さと第２書込期間Ｗ２の長さは同じとなっている。図６に示したように、第１書込期間Ｗ１および第２書込期間Ｗ２の各々は、パネル駆動回路２００から走査線駆動回路１３０およびデータ線駆動回路１４０に供給される垂直同期信号Ｖｓｙｎｃの１周期で規定される。なお、本実施形態においては、垂直同期信号Ｖｓｙｎｃの周期は、２４０Ｈｚとなっているが、この周期に限定されるものではなく、他の周期であってもよい。
【００３１】
図７は、右眼用期間ＰＲおよび左眼用期間ＰＬの各単位期間Ｕ（Ｕ１，Ｕ２）での走査線駆動回路１３０の動作の説明図である。図７に示したように、走査線駆動回路１３０は、左眼用期間ＰＬにおける単位期間Ｕ１の第１書込期間Ｗ１（第１フィールド）と、右眼用期間ＰＲにおける単位期間Ｕ２の第１書込期間Ｗ１（第３フィールド）とにおいて、隣合う２本の走査線１１２を選択単位とし、選択期間Ｈ１〜ＨＫにて順次に選択する。すなわち、これらの第１書込期間Ｗ１の第ｋ番目（ｋ＝１〜Ｋ）の選択期間Ｈｋでは、奇数行である「２ｋ−１」行目の走査信号と偶数行である「２ｋ」行目の走査信号とが同時に選択電圧に設定されることで、「２ｋ」行の走査線１１２（偶数行の画素群）と、これらのフィールドにおける基準走査線である「２ｋ−１」行の走査線１１２（奇数行の画素群）とが同時に選択される。例えば選択期間Ｈ１では第１行の走査線１１２と第２行の走査線１１２とが同時に選択され、選択期間Ｈ２では第３行の走査線１１２と第４行の走査線１１２とが同時に選択される。したがって、第１書込期間Ｗ１内の選択期間Ｈｋの総数Ｋは、走査線１１２の総数ｍ（表示領域１０１の画素の行数）の半分に相当する（Ｋ＝ｍ／２）。
【００３２】
また、走査線駆動回路１３０は、左眼用期間ＰＬにおける単位期間Ｕ２の第１書込期間Ｗ１（第３フィールド）と、右眼用期間ＰＲにおける単位期間Ｕ１の第１書込期間Ｗ１（第１フィールド）とにおいて、隣合う２本の走査線１１２を選択単位として選択期間Ｈ１〜ＨＫにて順次に選択する。すなわち、これらの第１書込期間Ｗ１の第ｋ番目（ｋ＝１〜Ｋ）の選択期間Ｈｋでは、偶数行の走査信号である「２ｋ」行目と奇数行である「２ｋ＋１」行目の走査信号とが同時に選択電位に設定されることで、「２ｋ＋１」行の走査線１１２（奇数行の画素群）と、これらのフィールドにおける基準走査線である「２ｋ」行の走査線１１２（偶数行の画素群）とが同時に選択される。例えば選択期間Ｈ１では２行目の走査線１１２と３行目の走査線１１２とが同時に選択され、選択期間Ｈ２では４行目の走査線１１２と５行目の走査線１１２とが同時に選択される。
【００３３】
また、走査線駆動回路１３０は、左眼用期間ＰＬにおける単位期間Ｕ１の第２書込期間Ｗ２（第２フィールド）と、右眼用期間ＰＲにおける単位期間Ｕ２の第２書込期間Ｗ２（第４フィールド）とにおいて、偶数行の走査線１１２を選択期間Ｈ１〜ＨＫにて選択する。すなわち、これらの第２書込期間Ｗ２内の第ｋ番目の選択期間Ｈｋでは、「２ｋ」行目の走査信号が選択電位に設定されることで、直前のフィールドで基準走査線となった走査線以外の「２ｋ」行の走査線１１２（「２ｋ」行の画素群）が選択される。例えば選択期間Ｈ１では２行目の走査線１１２が選択され、選択期間Ｈ２では４行目の走査線１１２が選択される。したがって、これらの第２書込期間Ｗ２には第１書込期間Ｗ１と同様にＫ個（ｍ／２個）の選択期間Ｈ１〜ＨＫが含まれる。
【００３４】
また、走査線駆動回路１３０は、左眼用期間ＰＬにおける単位期間Ｕ２の第２書込期間Ｗ２（第４フィールド）と、右眼用期間ＰＲにおける単位期間Ｕ１の第２書込期間Ｗ２（第２フィールド）とにおいて、奇数行の走査線１１２を選択期間Ｈ１〜ＨＫにて選択する。すなわち、これらの第２書込期間Ｗ２内の第ｋ番目の選択期間Ｈｋでは、「２ｋ−１」行目の走査信号が選択電位に設定されることで、直前のフィールドで基準走査線となった走査線以外の「２ｋ−１」行の走査線１１２（「２ｋ−１」行の画素群）が選択される。例えば選択期間Ｈ１では１行目の走査線１１２が選択され、選択期間Ｈ２では３行目の走査線１１２が選択される。したがって、これらの第２書込期間Ｗ２には第１書込期間Ｗ１と同様にＫ個（ｍ／２個）の選択期間Ｈ１〜ＨＫが含まれる。
【００３５】
データ線駆動回路１４０は、左眼用映像ＧＬの各画素の階調（画素値）に応じた電位のデータ信号ｄ１〜ｄｎを左眼用期間ＰＬ内の選択期間Ｈ１〜ＨＫにおいて各データ線１１４に供給し、右眼用映像ＧＲの各画素の階調に応じた電位のデータ信号ｄ１〜ｄｎを右眼用期間ＰＲ内の選択期間Ｈ１〜ＨＫにおいて各データ線１１４に供給する。
また、図６に示すように、データ線駆動回路１４０は、左眼用期間ＰＬおよび右眼用期間ＰＲの各々において、各画素の液晶素子１２０への印加電圧が前後の単位期間Ｕで逆極性となるように、各データ信号の極性を単位期間Ｕ毎に反転する。具体的には、データ信号の電位は、左眼用期間ＰＬおよび右眼用期間ＰＲの各々の単位期間Ｕ１では基準電位（例えばコモン電極１０８の電位）に対してプラス（正極性）に設定され、単位期間Ｕ２では基準電位に対してマイナス（負極性）に設定される。
【００３６】
左眼用期間ＰＬの単位期間Ｕ１の第１書込期間Ｗ１と、右眼用期間ＰＲの単位期間Ｕ２の第１書込期間Ｗ１とにおいては、「２ｋ−１」行目の走査線１１２と「２ｋ」行目の走査線１１２とが同時に選択される選択期間において、データ線駆動回路１４０は、「２ｋ−１」行目の走査線１１２に対応する各画素の階調に応じた電位のデータ信号ｄ１〜ｄｎを各データ線１１４に供給する。
すなわち、図６に示したように、左眼用期間ＰＬの単位期間Ｕ１の第１書込期間Ｗ１の選択期間Ｈ１〜ＨＫにおいては、「２ｋ−１」行目および「２ｋ」行目の各画素１１０の液晶素子１２０に対して、左眼用映像ＧＬのうち「２ｋ−１」行目の各画素の階調ＧＬ［２ｋ−１］に応じた電圧が印加される。また、右眼用期間ＰＲの単位期間Ｕ２の第１書込期間Ｗ１の選択期間Ｈ１〜ＨＫにおいては、「２ｋ−１」行目および「２ｋ」行目の各画素１１０の液晶素子１２０に対して、右眼用映像ＧＲのうち「２ｋ−１」行目の各画素の階調ＧＲ［２ｋ−１］に応じた電圧が印加される。
【００３７】
例えば、左眼用期間ＰＬの単位期間Ｕ１においては、第１書込期間Ｗ１の選択期間Ｈ１では、左眼用映像ＧＬのうち１行目の各画素の階調ＧＬ［１］に応じた電圧が１行目および２行目の各画素１１０の液晶素子１２０に印加され、選択期間Ｈ２では、左眼用映像ＧＬのうち３行目の各画素の階調ＧＬ［３］に応じた電圧が３行目および４行目の各画素１１０の液晶素子１２０に供給される。また、右眼用期間ＰＲの単位期間Ｕ２においては、第１書込期間Ｗ１の選択期間Ｈ１では、右眼用映像ＧＲのうち１行目の各画素の階調ＧＲ［１］に応じた電圧が１行目および２行目の各画素１１０の液晶素子１２０に印加され、選択期間Ｈ２では、右眼用映像ＧＲのうち３行目の各画素の階調ＧＲ［３］に応じた電圧が３行目および４行目の各画素１１０の液晶素子１２０に印加される。
このように、２本の走査線１１２が同時に選択されていく左眼用期間ＰＬの単位期間Ｕ１の第１書込期間Ｗ１と、右眼用期間ＰＲの単位期間Ｕ２の第１書込期間Ｗ１とにおいては、選択期間Ｈｋで２本の走査線１１２が選択されたときには、選択された走査線１１２に係る画素１１０のうち、同じ列の画素１１０の液晶素子１２０には、等しい電圧が印加されるため、第１書込期間Ｗ１が終了する時点では、データ線１１４が延びている方向の解像度を半分に低下させた画像が表示領域１０１に表示される。
【００３８】
次に左眼用期間ＰＬの単位期間Ｕ２の第１書込期間Ｗ１と、右眼用期間ＰＲの単位期間Ｕ１の第１書込期間Ｗ１とにおいては、「２ｋ」行目の走査線１１２と「２ｋ＋１」行目の走査線１１２とが同時に選択される選択期間において、データ線駆動回路１４０は、「２ｋ」行目の走査線１１２に対応する各画素の階調に応じた電位のデータ信号ｄ１〜ｄｎを各データ線１１４に供給する。
すなわち、図６に示したように、左眼用期間ＰＬの単位期間Ｕ２の第１書込期間Ｗ１の選択期間Ｈ１〜ＨＫにおいては、「２ｋ」行目および「２ｋ＋１」行目の各画素１１０の液晶素子１２０に対して、左眼用映像ＧＬのうち「２ｋ」行目の各画素の階調ＧＬ［２ｋ］に応じた電圧が印加される。また、右眼用期間ＰＲの単位期間Ｕ１の第１書込期間Ｗ１の選択期間Ｈ１〜ＨＫにおいては、「２ｋ」行目および「２ｋ＋１」行目の各画素１１０の液晶素子１２０に対して、右眼用映像ＧＲのうち「２ｋ」行目の各画素の階調ＧＲ［２ｋ］に応じた電圧が印加される。
【００３９】
例えば、左眼用期間ＰＬの単位期間Ｕ２においては、第１書込期間Ｗ１の選択期間Ｈ１では、左眼用映像ＧＬのうち２行目の各画素の階調ＧＬ［２］に応じた電圧が２行目および３行目の各画素１１０の液晶素子１２０に印加され、選択期間Ｈ２では、左眼用映像ＧＬのうち４行目の各画素の階調ＧＬ［４］に応じた電圧が４行目および５行目の各画素１１０の液晶素子１２０に印加される。また、右眼用期間ＰＲの単位期間Ｕ１においては、第１書込期間Ｗ１の選択期間Ｈ１では、右眼用映像ＧＲのうち２行目の各画素の階調ＧＲ［２］に応じた電圧が２行目および３行目の各画素１１０の液晶素子１２０に印加され、選択期間Ｈ２では、右眼用映像ＧＲのうち４行目の各画素の階調ＧＲ［４］に応じた電圧が４行目および５行目の各画素１１０の液晶素子１２０に印加される。
このように、２本の走査線１１２が同時に選択されていく左眼用期間ＰＬの単位期間Ｕ２の第１書込期間Ｗ１と、右眼用期間ＰＲの単位期間Ｕ１の第１書込期間Ｗ１とにおいても、選択期間Ｈｋで２本の走査線１１２が選択されたときには、選択された走査線１１２に係る画素１１０のうち、同じ列の画素１１０の液晶素子１２０には、等しい電圧が印加されるため、第１書込期間Ｗ１が終了する時点では、データ線１１４が延びている方向の解像度を半分に低下させた画像が表示領域１０１に表示される。
【００４０】
また、左眼用期間ＰＬの単位期間Ｕ１の第２書込期間Ｗ２と、右眼用期間ＰＲの単位期間Ｕ２の第２書込期間Ｗ２とにおいて「２ｋ」行目の走査線１１２が選択される選択期間Ｈ１〜ＨＫにおいては、データ線駆動回路１４０は、「２ｋ」行目の走査線１１２に対応する各画素１１０の階調に応じた電圧を補正したデータ信号ｄ１〜ｄｎを各データ線１１４に供給する。
すなわち、左眼用期間ＰＬの単位期間Ｕ１においては、第２書込期間Ｗ２の選択期間Ｈ１では、左眼用映像ＧＬのうち２行目の各画素の階調ＧＬ［２］に応じた電圧を補正した電圧が２行目の各画素１１０の液晶素子１２０に印加され、選択期間Ｈ２では、左眼用映像ＧＬのうち４行目の各画素の階調ＧＬ［４］に応じた電圧を補正した電圧が４行目の各画素１１０の液晶素子１２０に印加される。なお、左眼用期間ＰＬの単位期間Ｕ１の第２書込期間Ｗ２においては、奇数行に対応する各画素１１０の液晶素子１２０への印加電圧は、直前の第１書込期間Ｗ１での印加電圧に保持される。したがって、第１書込期間Ｗ１の終点においてデータ線１１４が延びている方向へ半分の解像度で表示されていた左眼用映像ＧＬが、第２書込期間Ｗ２の終点では表示パネル１００の解像度（ｍ行×ｎ列）の左眼用映像ＧＬに更新される。
【００４１】
右眼用期間ＰＲの単位期間Ｕ２においては、第２書込期間Ｗ２の選択期間Ｈ１では、右眼用映像ＧＲのうち２行目の各画素の階調ＧＲ［２］に応じた電圧を補正した電圧が２行目の各画素１１０の液晶素子１２０に印加され、選択期間Ｈ２では、右眼用映像ＧＲのうち４行目の各画素の階調ＧＲ［４］に応じた電圧を補正した電圧が４行目の各画素１１０の液晶素子１２０に印加される。なお、右眼用期間ＰＲの単位期間Ｕ２の第２書込期間Ｗ２においては、奇数行に対応する各画素１１０の液晶素子１２０への印加電圧は、直前の第１書込期間Ｗ１での印加電圧に保持される。したがって、第１書込期間Ｗ１の終点においてデータ線１１４が延びている方向に半分の解像度で表示されていた右眼用映像ＧＲが、第２書込期間Ｗ２の終点では表示パネル１００の解像度（ｍ行×ｎ列）の右眼用映像ＧＲに更新される。
【００４２】
また、左眼用期間ＰＬの単位期間Ｕ２の第２書込期間Ｗ２と、右眼用期間ＰＲの単位期間Ｕ１の第２書込期間Ｗ２とにおいて「２ｋ−１」行目の走査線１１２が選択される選択期間Ｈ１〜ＨＫにおいては、データ線駆動回路１４０は、「２ｋ−１」行目の走査線１１２に対応する各画素の階調に応じた電圧を補正したデータ信号ｄ１〜ｄｎを各データ線１１４に供給する。
すなわち、左眼用期間ＰＬの単位期間Ｕ２においては、第２書込期間Ｗ２の選択期間Ｈ１では、左眼用映像ＧＬのうち１行目の各画素の階調ＧＬ［１］に応じた電圧を補正した電圧が１行目の各画素１１０の液晶素子１２０に印加され、選択期間Ｈ２では、左眼用映像ＧＬのうち３行目の各画素の階調ＧＬ［３］に応じた電圧を補正した電圧が３行目の各画素１１０の液晶素子１２０に印加される。なお、左眼用期間ＰＬの単位期間Ｕ１の第２書込期間Ｗ２においては、偶数行に対応する各画素１１０の液晶素子１２０への印加電圧は、直前の第１書込期間Ｗ１での印加電圧に保持される。したがって、第１書込期間Ｗ１の終点においてデータ線１１４が延びている方向に半分の解像度で表示されていた左眼用映像ＧＬが、第２書込期間Ｗ２の終点では表示パネル１００の解像度（ｍ行×ｎ列）の左眼用映像ＧＬに更新される。
【００４３】
右眼用期間ＰＲの単位期間Ｕ１においては、第２書込期間Ｗ２の選択期間Ｈ１では、右眼用映像ＧＲのうち１行目の各画素の階調ＧＲ［１］に応じた電圧を補正した電圧が１行目の各画素１１０の液晶素子１２０に印加され、選択期間Ｈ２では、右眼用映像ＧＲのうち３行目の各画素の階調ＧＲ［３］に応じた電圧を補正した電圧が３行目の各画素１１０の液晶素子１２０に印加される。なお、右眼用期間ＰＲの単位期間Ｕ１の第２書込期間Ｗ２においては、偶数行に対応する各画素１１０の液晶素子１２０への印加電圧は、直前の第１書込期間Ｗ１での印加電圧に保持される。したがって、第１書込期間Ｗ１の終点においてデータ線１１４が延びている方向に半分の解像度で表示されていた右眼用映像ＧＲが、第２書込期間Ｗ２の終点では表示パネル１００の解像度（ｍ行×ｎ列）の右眼用映像ＧＲに更新される。
【００４４】
ところで、本実施形態においては、第２書込期間Ｗ２においては、液晶素子１２０に印加されれる電圧は、映像信号が表す階調に対応した電圧を補正した電圧となっている。このように第２書込期間Ｗ２において、各画素１１０の液晶素子１２０に印加される電圧が映像信号が表す階調に対応した電圧ではなく、当該階調に対応した電圧を補正した電圧を液晶素子１２０に印加する理由は以下のとおりである。
【００４５】
本実施形態においては、正極性と負極性の電圧を画素１１０の液晶素子１２０に印加する交流駆動が行われるが、画素１１０の液晶素子１２０に印加する電圧を補正しない場合、正極性の電圧の時間積分の結果と、負極性の電圧の時間積分の結果とが対称とはならなくなってしまう。
例えば、左眼用期間ＰＬにおいては、画素１１０の液晶素子１２０に印加する電圧を補正しない場合、１行目の画素１１０の液晶素子１２０は、単位期間Ｕ１の第１書込期間Ｗ１と第２書込期間Ｗ２及び単位期間Ｕ２の第１書込期間Ｗ１において正極性の電圧を保持し、単位期間Ｕ２の第２書込期間Ｗ２において負極性の電圧を保持する。つまり、図８の（ａ）に示したように、正極性の電圧（ＧＬ［１］に応じた電圧）の時間積分の結果と負極性の電圧（ＧＬ［１］に応じた電圧）の時間積分の結果が非対称となる。
また、左眼用期間ＰＬにおいては、画素１１０の液晶素子１２０に印加する電圧を補正しない場合、偶数行目（Ｍ行目）の画素１１０の液晶素子１２０は、単位期間Ｕ１の第１書込期間Ｗ１では正極性で「Ｍ−１」行目の画素の階調に応じた電圧を保持し、単位期間Ｕ１の第２書込期間Ｗ２では正極性で「Ｍ」行目の画素の階調に応じた電圧を保持し、単位期間Ｕ２では負極性で「Ｍ」行目の画素の階調に応じた電圧を保持する。例えば、２行目の画素１１０の場合、図８の（ｂ）に示したように、正極性の電圧（ＧＬ［１］に応じた電圧とＧＬ［２］に応じた電圧）の時間積分の結果と負極性の電圧（ＧＬ［２］に応じた電圧）の時間積分の結果が非対称となる。
また、左眼用期間ＰＬにおいては、画素１１０の液晶素子１２０に印加する電圧を補正しない場合、奇数行目（Ｎ行目）の画素１１０の液晶素子１２０は、単位期間Ｕ１では、正極性で「Ｎ」行目の画素の階調に応じた電圧を保持し、単位期間Ｕ２の第１書込期間Ｗ１では、負極性で「Ｎ−１」行目の画素の階調に応じた電圧を保持し、単位期間Ｕ２の第２書込期間Ｗ２では、負極性で「Ｎ」行目の画素の階調に応じた電圧を保持する。例えば、３行目の画素１１０の場合、図８の（ｃ）に示したように、正極性の電圧（ＧＬ［３］に応じた電圧）の時間積分の結果と負極性の電圧（ＧＬ［２］に応じた電圧とＧＬ［３］に応じた電圧）の時間積分の結果が左眼用期間ＰＬにおいて非対称となる。
【００４６】
また、右眼用期間ＰＲにおいては、画素１１０の液晶素子１２０に印加する電圧を補正しない場合、１行目の画素１１０は、単位期間Ｕ１の第１書込期間Ｗ１においては、左眼用期間ＰＬの単位期間Ｕ２の第２書込期間Ｗ２で保持していた電圧を保持し、単位期間Ｕ１の第２書込期間Ｗ２においては、正極性で１行目の画素の階調に応じた電圧を保持し、単位期間Ｕ２においては、負極性で１行目の画素の階調に応じた電圧を保持する。つまり、図９の（ａ）に示したように、正極性の電位（ＧＲ［１］に応じた電圧）の時間積分の結果と負極性の電圧（ＧＬ［１］に応じた電圧とＧＲ［１］に応じた電圧）の時間積分の結果が非対称となる。
また、右眼用期間ＰＲにおいては、画素１１０の液晶素子１２０に印加する電圧を補正しない場合、偶数行目（Ｍ行目）の画素１１０の液晶素子１２０は、単位期間Ｕ１では正極性で「Ｍ」行目の画素の階調に応じた電圧を保持し、単位期間Ｕ２の第１書込期間Ｗ１では負極性で「Ｍ−１」行目の画素の階調に応じた電圧を保持し、単位期間Ｕ２の第２書込期間Ｗ２では負極性で「Ｍ」行目の画素の階調に応じた電圧を保持する。例えば、２行目の画素１１０の場合、図９の（ｂ）に示したように、正極性の電位（ＧＲ［２］に応じた電圧）の時間積分の結果と負極性の電圧（ＧＲ［１］に応じた電圧とＧＲ［２］に応じた電圧）の時間積分の結果が非対称となる。
また、右眼用期間ＰＲにおいては、画素１１０の液晶素子１２０に印加する電圧を補正しない場合、奇数行目（Ｎ行目）の画素１１０の液晶素子１２０は、単位期間Ｕ１の第１書込期間Ｗ１では、正極性で「Ｎ−１」行目の画素の階調に応じた電圧を保持し、単位期間Ｕ１の第２書込期間Ｗ２では正極性で「Ｎ」行目の画素の階調に応じた電圧を保持し、単位期間Ｕ２では、負極性で「Ｎ」行目の画素の階調に応じた電圧を保持を保持する。例えば、３行目の画素１１０の場合、図９の（ｃ）に示したように、正極性の電圧（ＧＲ［２］に応じた電圧とＧＲ［３］に応じた電圧）の時間積分の結果と負極性の電圧（ＧＲ［３］に応じた電圧）の時間積分の結果が非対称となる。
【００４７】
このように、正極性の電圧の時間積分の結果と、負極性の電圧の時間積分の結果とが対称とはならないと、画素１１０の液晶素子１２０においては電荷に偏りが生じ、電荷の偏りによって内部電界が発生することにより焼き付きが発生する虞がある。よって、本実施形態においては、画素１１０毎に単位期間Ｕ１と単位期間Ｕ２とで電圧の時間積分の結果が対称となるように、パネル駆動回路２００は、データ信号Ｖｘを補正する。
【００４８】
具体的には、左眼用期間ＰＬにおいては、奇数行の画素については、単位期間Ｕ２の第２書込期間Ｗ２においてデータ信号Ｖｘを補正し、偶数行の画素については、単位期間Ｕ１の第２書込期間Ｗ２においてデータ信号Ｖｘを補正する。また、右眼用期間ＰＲにおいては、奇数行の画素については、単位期間Ｕ１の第２書込期間Ｗ２においてデータ信号Ｖｘを補正し、偶数行の画素については、単位期間Ｕ２の第２書込期間Ｗ２においてデータ信号Ｖｘを補正する。
【００４９】
パネル駆動回路２００は、左眼用期間ＰＬにおいては、１行目の画素に対しては、ＧＬ［１］の電圧＋ＧＬ［１］の電圧＋ＧＬ［１］の電圧−（ＧＬ［１］の電圧＋電圧α）＝０となる電圧αを演算し、−（ＧＬ１の電圧＋電圧α）のデータ信号Ｖｘを、単位期間Ｕ２の第２書込期間Ｗ２で供給する。この補正を行った場合、左眼用期間ＰＬにあっては、図８の（ｄ）に示したように、１行目の画素においては正極性の電位の時間積分と負極性の電位の時間積分とが対称となり、液晶素子１２０においては電荷に偏りが生じなくなる。
【００５０】
また、パネル駆動回路２００は、左眼用期間ＰＬにおいては、偶数行の画素に対しては、選択される行をＭ行目とした場合、ＧＬ［Ｍ−１］の電圧＋（ＧＬ［Ｍ］の電圧＋電圧α）−ＧＬ［Ｍ］の電圧−ＧＬ［Ｍ］の電圧＝０となる電圧αを演算し、（ＧＬ［Ｍ］の電圧＋電圧α）のデータ信号Ｖｘを単位期間Ｕ１の第２書込期間Ｗ２で供給する。この補正を行った場合、左眼用期間ＰＬにあっては、偶数行の画素においても、図８の（ｅ）に示したように、正極性の電位の時間積分と負極性の電位の時間積分とが対称となり、液晶層においては電荷に偏りが生じなくなる。
【００５１】
また、パネル駆動回路２００は、左眼用期間ＰＬにおいては、１行目以外の奇数行の画素に対しては、選択される行をＮ行目とした場合、ＧＬ［Ｎ］の電圧＋ＧＬ［Ｎ］の電圧−ＧＬ［Ｎ−１］の電圧−（ＧＬ［Ｎ］の電圧＋電圧α）＝０となる電圧αを演算し、−（ＧＬ［Ｎ］の電圧＋電圧α）のデータ信号Ｖｘを単位期間Ｕ２の第２書込期間Ｗ２で供給する。この補正を行った場合、左眼用期間ＰＬにあっては、１行目以外の奇数行の画素においても、図８の（ｆ）に示したように、正極性の電位の時間積分と負極性の電位の時間積分とが対称となり、液晶層においては電荷に偏りが生じなくなる。
【００５２】
パネル駆動回路２００は、右眼用期間ＰＲにおいては、１行目の画素に対しては、−ＧＬ［１］の電圧＋（ＧＲ［１］の電圧＋電圧α）−ＧＲ［１］の電圧−ＧＲ［１］の電圧＝０となる電圧αを演算し、（ＧＲ１の電圧＋電圧α）のデータ信号Ｖｘを、単位期間Ｕ１の第２書込期間Ｗ２で供給する。この補正を行った場合、右眼用期間ＰＲにあっては、図９の（ｄ）に示したように１行目の画素においては、正極性の電位の時間積分と負極性の電位の時間積分とが対称となり、液晶層においては電荷に偏りが生じなくなる。
【００５３】
また、パネル駆動回路２００は、右眼用期間ＰＲにおいては、偶数行の画素に対しては、選択される行をＭ行目とした場合、ＧＲ［Ｍ］の電圧＋ＧＲ［Ｍ］の電圧−ＧＲ［Ｍ−１］の電圧−（ＧＲ［Ｍ］の電圧＋電圧α）＝０となる電圧αを演算し、−（ＧＬ［Ｍ］の電圧＋電圧α）のデータ信号Ｖｘを単位期間Ｕ２の第２書込期間Ｗ２で供給する。この補正を行った場合、右眼用期間ＰＲにあっては、偶数行の画素においても、図９の（ｅ）に示したように、正極性の電位の時間積分と負極性の電位の時間積分とが対称となり、液晶層においては電荷に偏りが生じなくなる。
【００５４】
また、パネル駆動回路２００は、右眼用期間ＰＲにおいては、１行目以外の奇数行の画素に対しては、選択される行をＮ行目とした場合、ＧＲ［Ｎ−１］の電圧＋（ＧＲ［Ｎ］の電圧＋電圧α）−ＧＲ［Ｎ］の電圧−ＧＲ［Ｎ］の電圧＝０となる電圧αを演算し、（ＧＲ［Ｎ］の電圧＋電圧α）のデータ信号Ｖｘを単位期間Ｕ１の第２書込期間Ｗ２で供給する。この補正を行った場合、右眼用期間ＰＲにあっては、１行目以外の奇数行の画素においても、図９の（ｆ）に示したように、正極性の電位の時間積分と負極性の電位の時間積分とが対称となり、液晶層においては電荷に偏りが生じなくなる。
【００５５】
［第２実施形態］
次に、本発明の第２実施形態に係る表示装置１０について説明する。第２実施形態に係る表示装置１０は、ハードウェア構成については第１実施形態と同じである。第２実施形態に係る表示装置１０が第１実施形態に係る表示装置１０と相違する点は、走査線駆動回路１３０の動作と、パネル駆動回路２００の動作とが異なる点にある。したがって、以下においては、この相違点を中心に説明する。
【００５６】
図１１は、右眼用期間ＰＲおよび左眼用期間ＰＬの各単位期間Ｕ（Ｕ１，Ｕ２）での走査線駆動回路１３０の動作の説明図である。走査線駆動回路１３０は、左眼用期間ＰＬにおける単位期間Ｕ２の第１書込期間Ｗ１と、右眼用期間ＰＲにおける単位期間Ｕ１の第１書込期間Ｗ１とにおいて、隣合う２本の走査線１１２を選択単位として選択期間Ｈ１〜ＨＫにて順次に選択する。すなわち、これらの第１書込期間Ｗ１の第ｋ番目（ｋ＝１〜Ｋ）の選択期間Ｈｋでは、偶数行の走査信号である「２ｋ」行目と奇数行である「２ｋ−１」行目の走査信号とが同時に選択電位に設定されることで、「２ｋ」行の走査線１１２（偶数行の画素群）と「２ｋ−１」行の走査線１１２（奇数行の画素群）とが同時に選択される。例えば選択期間Ｈ１では１行目の走査線１１２と２行目の走査線１１２とが同時に選択され、選択期間Ｈ２では３行目の走査線１１２と４行目の走査線１１２とが同時に選択される。
【００５７】
左眼用期間ＰＬの単位期間Ｕ２の第１書込期間Ｗ１と、右眼用期間ＰＲの単位期間Ｕ１の第１書込期間Ｗ１とにおいては、「２ｋ」行目の走査線１１２と「２ｋ−１」行目の走査線１１２とが同時に選択される選択期間において、データ線駆動回路１４０は、「２ｋ」行目の走査線１１２に対応する各画素の階調に応じた電位のデータ信号ｄ１〜ｄｎを各データ線１１４に供給する。
すなわち、図１０に示したように、左眼用期間ＰＬの単位期間Ｕ２の第１書込期間Ｗ１の選択期間Ｈ１〜ＨＫにおいては、「２ｋ」行目および「２ｋ−１」行目の各画素１１０の液晶素子１２０に対して、左眼用映像ＧＬのうち「２ｋ」行目の各画素の階調ＧＬ［２ｋ］に応じた電圧が印加される。また、右眼用期間ＰＲの単位期間Ｕ１の第１書込期間Ｗ１の選択期間Ｈ１〜ＨＫにおいては、「２ｋ」行目および「２ｋ−１」行目の各画素１１０の液晶素子１２０に対して、右眼用映像ＧＲのうち「２ｋ」行目の各画素の階調ＧＲ［２ｋ］に応じた電圧が印加される。
【００５８】
本実施形態においても、正極性と負極性の電圧を画素１１０に印加する交流駆動が行われるが、画素１１０の液晶素子１２０に印加する電圧を補正しない場合、正極性の電位の時間積分の結果と、負極性の電位の時間積分の結果とが対称とはならなくなってしまう。
例えば、左眼用期間ＰＬにおいては、画素１１０の液晶素子１２０に印加する電圧を補正しない場合、奇数行目（Ｎ行目）の画素１１０の液晶素子１２０は、単位期間Ｕ１では、正極性で「Ｎ」行目の画素の階調に応じた電圧を保持し、単位期間Ｕ２の第１書込期間Ｗ１では、負極性で「Ｎ＋１」行目の画素の階調に応じた電圧を保持し、単位期間Ｕ２の第２書込期間Ｗ２では、負極性で「Ｎ」行目の画素の階調に応じた電圧を保持する。例えば、３行目の画素１１０の場合、図１２の（ａ）に示したように、正極性の電圧（ＧＬ［３］に応じた電圧）の時間積分の結果と負極性の電圧（ＧＬ［４］に応じた電圧とＧＬ［３］に応じた電圧）の時間積分の結果が左眼用期間ＰＬにおいて非対称となる。
また、右眼用期間ＰＲにおいては、画素１１０の液晶素子１２０に印加する電圧を補正しない場合、奇数行目（Ｎ行目）の画素１１０の液晶素子１２０は、単位期間Ｕ１の第１書込期間Ｗ１では、正極性で「Ｎ＋１」行目の画素の階調に応じた電圧を保持し、単位期間Ｕ１の第２書込期間Ｗ２では正極性で「Ｎ」行目の画素の階調に応じた電圧を保持し、単位期間Ｕ２では、負極性で「Ｎ」行目の画素の階調に応じた電圧を保持を保持する。例えば、３行目の画素１１０の場合、図１２の（ｂ）に示したように、正極性の電圧（ＧＲ［４］に応じた電圧とＧＲ［３］に応じた電圧）の時間積分の結果と負極性の電圧（ＧＲ［３］に応じた電圧）の時間積分の結果が非対称となる。
【００５９】
このように、正極性の電圧の時間積分の結果と、負極性の電圧の時間積分の結果とが対称とはならないと、画素１１０の液晶層においては電荷に偏りが生じ、電荷の偏りによって内部電界が発生することにより焼き付きが発生する虞がある。よって、本実施形態においても、画素１１０毎に単位期間Ｕ１と単位期間Ｕ２とで電圧の時間積分の結果が対称となるように、パネル駆動回路２００は、データ信号Ｖｘを補正する。
【００６０】
具体的には、左眼用期間ＰＬにおいては、奇数行の画素については、単位期間Ｕ２の第２書込期間Ｗ２においてデータ信号Ｖｘを補正し、偶数行の画素については、単位期間Ｕ１の第２書込期間Ｗ２においてデータ信号Ｖｘを補正する。また、右眼用期間ＰＲにおいては、奇数行の画素については、単位期間Ｕ１の第２書込期間Ｗ２においてデータ信号Ｖｘを補正し、偶数行の画素については、単位期間Ｕ２の第２書込期間Ｗ２においてデータ信号Ｖｘを補正する。
【００６１】
パネル駆動回路２００は、左眼用期間ＰＬにおいては、奇数行の画素に対しては、選択される行をＮ行目とした場合、ＧＬ［Ｎ］の電圧＋ＧＬ［Ｎ］の電圧−ＧＬ［Ｎ＋１］の電圧−（ＧＬ［Ｎ］の電圧＋電圧α）＝０となる電圧αを演算し、−（ＧＬ［Ｎ］の電圧＋電圧α）のデータ信号Ｖｘを単位期間Ｕ２の第２書込期間Ｗ２で供給する。この補正を行った場合、左眼用期間ＰＬにあっては、奇数行の画素においても、図１２の（ｃ）に示したように、正極性の電位の時間積分と負極性の電位の時間積分とが対称となり、液晶素子１２０においては電荷に偏りが生じなくなる。
【００６２】
また、パネル駆動回路２００は、右眼用期間ＰＲにおいては、奇数行の画素に対しては、選択される行をＮ行目とした場合、ＧＲ［Ｎ＋１］の電圧＋（ＧＲ［Ｎ］の電圧＋電圧α）−ＧＲ［Ｎ］の電圧−ＧＲ［Ｎ］の電圧＝０となる電圧αを演算し、ＧＲ［Ｎ］の電圧＋電圧αのデータ信号Ｖｘを単位期間Ｕ１の第２書込期間Ｗ２で供給する。この補正を行った場合、右眼用期間ＰＲにあっては、奇数行の画素においても、図１２の（ｄ）に示したように、正極性の電位の時間積分と負極性の電位の時間積分とが対称となり、液晶素子１２０においては電荷に偏りが生じなくなる。
【００６３】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００６４】
上述した実施形態においては、補正に係る電圧αの値について制限を設けるようにしてもよい。例えば、電圧αの上限となる電圧値を予め設定しておき、電圧αの電圧値が設定した上限の電圧値を超える場合、電圧αの電圧値を上限の電圧値又は上限の電圧値未満の値としてもよい。
なお、上限となる電圧値は、データ信号Ｖｘが補正される画素の階調に応じて異なる値としてもよい。例えば、液晶のＶ−Ｔカーブによれば、液晶素子１２０は、最低の階調又は最高の階調に近い範囲においては、印加する電圧の変化が大きくても階調の変化が小さく、中間階調の範囲においては、印加する電圧の変化が小さくても階調の変化が大きくなる。このため、データ信号Ｖｘが補正される画素の階調が最低の階調又は最高の階調から予め定められた範囲内である場合、上限となる電圧値を第１の電圧値とし、データ信号Ｖｘが補正される画素の階調が中間調の範囲の場合には、第１の電圧値より小さい第２の電圧値としてもよい。
【００６５】
上述した実施形態においては、左眼用期間ＰＬと右眼用期間ＰＲの各々でデータ信号Ｖｘを補正しているが、この構成に限定されるものではなく、左眼用期間ＰＬと、この左眼用期間ＰＬに後続する右眼用期間ＰＲとを組とし、一つの組内のいずれかの第２書込期間Ｗ２でデータ信号Ｖｘを補正するようにしてもよい。
例えば、パネル駆動回路２００は、奇数行の画素に対しては、１つの組内において正極性の電圧の時間積分の結果と負極性の電圧の時間積分の結果とが対称となるように、左眼用期間ＰＬの単位期間Ｕ２の第２書込期間Ｗ２、又は右眼用期間ＰＲの単位期間Ｕ１の第２書込期間Ｗでデータ信号Ｖｘを補正する。また、パネル駆動回路２００は、偶数行の画素に対しては、１つの組内において正極性の電圧の時間積分の結果と負極性の電圧の時間積分の結果とが対称となるように、左眼用期間ＰＬの単位期間Ｕ１の第２書込期間Ｗ２、又は右眼用期間ＰＲの単位期間Ｕ２の第２書込期間Ｗでデータ信号Ｖｘを補正する。
なお、一つの組は、右眼用期間ＰＲと、この右眼用期間ＰＲに後続する左眼用期間ＰＬとを組するようにしてもよい。
【００６６】
上述した変形例では、１つの組内において正極性の電圧の時間積分の結果と負極性の電圧の時間積分の結果とが対称となるように、データ信号Ｖｘを補正しているが、この構成に限定されるものではない。
例えば、パネル駆動回路２００は、予め定めた複数のフレーム（３以上のフレーム）に渡って、画素１１０毎に液晶素子１２０に係る電圧の時間積分を行い、予め定めた複数のフレームに到達すると、正極性の電圧の時間積分と負極性の電圧の時間積分の非対称を解消する電圧αを演算し、演算で得た電圧αを用いてデータ信号Ｖｘを補正するようにしてもよい。
なお、本変形例においてデータ信号Ｖｘを補正するフレームは１つのフレームに限定されるものではない。例えば、電圧αの電圧値が１Ｖである場合、１つのフレームにおいて電圧αの値を０．５Ｖとし、次のフレームにおいて電圧αの値を０．５Ｖとし、２つのフレームで１Ｖの電圧を補正するようにしてもよい。なお、電圧を補正するフレームの数は２つに限定されるものではなく３以上のフレームであってもよい。
【００６７】
上述した実施形態においては、パネル駆動回路２００は、表示パネル１００Ｒ，１００Ｇ，１００Ｂの各々に設けられているが、この三つの表示パネルに対して１つのパネル駆動回路を設け、一つのパネル駆動回路が、表示パネル１００Ｒ，１００Ｇ，１００Ｂの各々へデータ信号Ｖｘ、制御信号Ｘｃｔｒ、制御信号Ｙｃｔｒを出力する構成であってもよい。
【００６８】
上述した実施形態においては、パネル駆動回路２００に入力される映像信号は、立体映像を視聴するための映像を表す信号であるが、パネル駆動回路２００に入力される映像信号は、立体映像を視聴するための映像を表す信号に限定されるものではなく、通常の２次元映像を視聴するための映像であってもよい。なお、映像が２次元映像を視聴するための映像である場合、奇数フレームにおける動作を、左眼用期間ＰＬ又は右眼用期間ＰＲのいずれか一方のときと同じ動作とし、偶数フレームにおける動作を、左眼用期間ＰＬ又は右眼用期間ＰＲの他方のときと同じ動作とするようにしてもよい。
【００６９】
上述した実施形態においては、単位期間Ｕ１でデータ信号の極性を負極性とし、単位期間Ｕ２でデータ信号の極性を正極性としてもよい。
また、上述した実施形態においては、一つのフレームに単位期間Ｕ１と単位期間Ｕ２とが含まれる構成となっているが、一つのフレームが単位期間Ｕ１→単位期間Ｕ２→単位期間Ｕ１→単位期間Ｕ２というように、８つのフィールドで構成されていてもよい。この場合、８つのフィールドのいずれかにおいて、正極性の電圧の時間積分と負極性の電圧の時間積分とを対称とするようにしてもよい。
【００７０】
なお、本発明に係る液晶装置が適用される電子機器としては、上述した表示装置１０のほか、携帯情報端末（ＰＤＡ：Personal Digital Assistants）、デジタルスチルカメラ、テレビ、ビデオカメラ、カーナビゲーション装置、車載用の表示器、電子手帳、電子ペーパー、電卓、ワードプロセッサ、ワークステーション、テレビ電話、ＰＯＳ端末、プリンター、スキャナー、複写機、ビデオプレーヤー、タッチパネルを備えた機器等などが挙げられる。
【符号の説明】
【００７１】
１…表示システム、１０…表示装置、１２…制御部、１３…記憶部、１４…操作部、１５…通信部、１６…映像取得部、１７…投射部、２０…眼鏡、１００，１００Ｒ，１００Ｇ，１００Ｂ…液晶パネル、１０１…表示領域、１０５…液晶、１０８…コモン電極、１１０…画素、１１２…走査線、１１４…データ線、１２０…液晶素子、１３０…走査線駆動回路、１４０…データ線駆動回路、２００…パネル駆動回路、ＧＬ…左眼用映像、ＧＲ…右眼用映像、ＰＬ…左眼用期間、ＰＲ…右眼用期間、Ｕ１…単位期間、Ｕ２…単位期間、Ｗ１…第１書込期間、Ｗ２…第２書込期間
【図１】
2015060178.tif 000003
【図２】
2015060178.tif 000004
【図３】
2015060178.tif 000005
【図４】
2015060178.tif 000006
【図５】
2015060178.tif 000007
【図６】
2015060178.tif 000008
【図７】
2015060178.tif 000009
【図８】
2015060178.tif 000010
【図９】
2015060178.tif 000011
【図１０】
2015060178.tif 000012
【図１１】
2015060178.tif 000013
【図１２】
2015060178.tif 000014